(57)【要約】【課題】「全直列電池パック」を構成する複数個の蓄電ユニットの配列を維持しながら「並直列電池パック」を実現するための接続部材を提供する。【解決手段】接続部材３０Ａは、第１方向に延在する仮想線ＶＬ１に沿って設けられた第１部位Ｐ１と、第２方向に延在する仮想線ＶＬ２に沿って設けられた第２部位Ｐ２と、第１部位Ｐ１と第２部位Ｐ２とを連結する連結部位ＣＰとを備える。そして、接続部材３０Ａは、連結部位ＣＰに設けられた中央穴２００と、第１部位Ｐ１に設けられた窪み部３００Ａ、３００Ｂと、第２部位Ｐ２に設けられた窪み部３００Ｃ、３００Ｄとを備える。このとき、仮想線ＶＬ１と仮想線ＶＬ２とは、互いに交差する。【選択図】図１０
2020095866.tif 000002
【特許請求の範囲】
【請求項１】
ユニットに含まれる複数の蓄電セル間を接続するための接続部材であって、
前記接続部材は、
第１方向に延在する第１仮想線に沿って設けられた第１部位と、
第２方向に延在する第２仮想線に沿って設けられた第２部位と、
前記第１部位と前記第２部位とを連結する連結部位と、
前記連結部位に設けられた中央穴と、
前記第１部位に設けられた第１窪み部と、
前記第２部位に設けられた第２窪み部と、
を備え、
前記第１仮想線と前記第２仮想線とは、互いに交差する、接続部材。
【請求項２】
請求項１に記載の接続部材において、
前記第１仮想線と前記第２仮想線のなす角度は、１８０度よりも小さい、接続部材。
【請求項３】
請求項１に記載の接続部材において、      
前記第１仮想線と前記第２仮想線のなす角度は、１８０度よりも大きい、接続部材。
【請求項４】
請求項１に記載の接続部材において、
前記第１部位には、前記第１窪み部と対になる第３窪み部も設けられており、
前記第１窪み部と前記第３窪み部とは、前記第１仮想線に対して線対称に配置される、接続部材。
【請求項５】
請求項１に記載の接続部材において、
前記第２部位には、前記第２窪み部と対になる第４窪み部も設けられており、
前記第２窪み部と前記第４窪み部とは、前記第２仮想線に対して線対称に配置される、接続部材。
【請求項６】
請求項１に記載の接続部材において、
前記接続部材は、前記中央穴に整合して設けられたナットを有する、接続部材。
【請求項７】
電池パックに複数含まれる蓄電ユニットであって、
前記蓄電ユニットは、
複数の蓄電セルと、
前記複数の蓄電セル間を接続する第１接続部材と、
前記複数の蓄電セル間を接続する第２接続部材と、
前記複数の蓄電セル間を接続する第３接続部材と、
を備え、
前記複数の蓄電セルは、
互いに並列接続された第１蓄電セルおよび第２蓄電セルと、
互いに並列接続された第３蓄電セルおよび第４蓄電セルと、
を有し、
前記第１蓄電セルと前記第３蓄電セルとは、互いに直列接続され、
前記第２蓄電セルと前記第４蓄電セルとは、互いに直列接続され、
前記第１接続部材は、前記第１蓄電セルと前記第２蓄電セルとに接続され、
前記第２接続部材は、前記第３蓄電セルと前記第４蓄電セルとに接続され、
前記第３接続部材は、前記第１蓄電セルと前記第２蓄電セルと前記第３蓄電セルと前記第４蓄電セルとに接続され、
前記第１接続部材は、
第１方向に延在する第１仮想線に沿って設けられた第１部位と、
第２方向に延在する第２仮想線に沿って設けられた第２部位と、
前記第１部位と前記第２部位とを連結する第１連結部位と、
前記第１連結部位に設けられた第１中央穴と、
前記第１部位に設けられた第１窪み部と、
前記第２部位に設けられた第２窪み部と、
を含み、
前記第１仮想線と前記第２仮想線のなす角度は、１８０度よりも小さく、
前記第２接続部材は、
第３方向に延在する第３仮想線に沿って設けられた第３部位と、
第４方向に延在する第４仮想線に沿って設けられた第４部位と、
前記第３部位と前記第４部位とを連結する第２連結部位と、
前記第２連結部位に設けられた第２中央穴と、
前記第３部位に設けられた第３窪み部と、
前記第４部位に設けられた第４窪み部と、
を含み、
前記第３仮想線と前記第４仮想線のなす角度は、１８０度よりも大きい、蓄電ユニット。
【請求項８】
請求項７に記載の蓄電ユニットにおいて、
前記第３接続部材は、
第５方向に延在する第５仮想線に沿って設けられた第５部位と、
前記第５仮想線と並行して延在する第６仮想線に沿って設けられた第６部位と、
前記第５仮想線と前記第６仮想線とに直交する第７仮想線に沿って設けられ、かつ、前記第５部位と前記第６部位とを連結する第３連結部位と、
前記第５部位に設けられた一対の第５窪み部と、
前記第６部位に設けられた一対の第６窪み部と、
を含み、
前記一対の第５窪み部は、前記第７仮想線に対して線対称に配置され、
前記一対の第６窪み部も、前記第７仮想線に対して線対称に配置される、蓄電ユニット。
【請求項９】
請求項７に記載の蓄電ユニットにおいて、
前記第１接続部材と前記第２接続部材は、前記蓄電ユニットの第１面側に設けられ、
前記第３接続部材は、前記蓄電ユニットの前記第１面側とは反対側の第２面側に設けられている、蓄電ユニット。
【請求項１０】
請求項７に記載の蓄電ユニットにおいて、
前記第１接続部材に形成されている前記第１窪み部は、前記第１蓄電セルと溶接され、
前記第１接続部材に形成されている前記第２窪み部は、前記第２蓄電セルと溶接されている、蓄電ユニット。
【請求項１１】
複数の蓄電ユニットを含む電池パックであって、
前記複数の蓄電ユニットのそれぞれは、
複数の蓄電セルと、
前記複数の蓄電セル間を接続する第１接続部材と、
前記複数の蓄電セル間を接続する第２接続部材と、
前記複数の蓄電セル間を接続する第３接続部材と、
を備え、
前記複数の蓄電セルは、
互いに並列接続された第１蓄電セルおよび第２蓄電セルと、
互いに並列接続された第３蓄電セルおよび第４蓄電セルと、
を有し、
前記第１蓄電セルと前記第３蓄電セルとは、互いに直列接続され、
前記第２蓄電セルと前記第４蓄電セルとは、互いに直列接続され、
前記第１接続部材は、前記第１蓄電セルと前記第２蓄電セルとに接続され、
前記第２接続部材は、前記第３蓄電セルと前記第４蓄電セルとに接続され、
前記第３接続部材は、前記第１蓄電セルと前記第２蓄電セルと前記第３蓄電セルと前記第４蓄電セルとに接続され、
前記第１接続部材は、
第１方向に延在する第１仮想線に沿って設けられた第１部位と、
第２方向に延在する第２仮想線に沿って設けられた第２部位と、
前記第１部位と前記第２部位とを連結する第１連結部位と、
前記第１連結部位に設けられた第１中央穴と、
前記第１部位に設けられた第１窪み部と、
前記第２部位に設けられた第２窪み部と、
を含み、
前記第１仮想線と前記第２仮想線のなす角度は、１８０度よりも小さく、
前記第２接続部材は、
第３方向に延在する第３仮想線に沿って設けられた第３部位と、
第４方向に延在する第４仮想線に沿って設けられた第４部位と、
前記第３部位と前記第４部位とを連結する第２連結部位と、
前記第２連結部位に設けられた第２中央穴と、
前記第３部位に設けられた第３窪み部と、
前記第４部位に設けられた第４窪み部と、
を含み、
前記第３仮想線と前記第４仮想線のなす角度は、１８０度よりも大きく、
前記電池パックは、互いに隣接配置された第１蓄電ユニットと第２蓄電ユニットを含み、
前記電池パックは、さらに、前記第１蓄電ユニットの前記第２接続部材と、前記第２蓄電ユニットの前記第１接続部材とを接続する連結部材を有する、電池パック。
【請求項１２】
請求項１１に記載の電池パックにおいて、
前記連結部材は、
第１連結穴と、
第２連結穴と、
を有する、電池パック。
【請求項１３】
請求項１２に記載の電池パックにおいて、
前記第１接続部材は、前記第１中央穴に整合して設けられた第１ナットを有し、
前記第２接続部材は、前記第２中央穴に整合して設けられた第２ナットを有し、
前記第１連結穴と前記第１中央穴とに挿入された第１ボルトを前記第１ナットで固定することにより、前記連結部材は、前記第１接続部材に固定され、
前記第２連結穴と前記第２中央穴とに挿入された第２ボルトを前記第２ナットで固定することにより、前記連結部材は、前記第２接続部材と固定される、電池パック。
【請求項１４】
請求項１３に記載の電池パックにおいて、
前記第１連結穴のサイズと前記第２連結穴のサイズとは異なる、電池パック。
【請求項１５】
請求項１１に記載の電池パックにおいて、
前記複数の蓄電セルのそれぞれは、リチウムイオン電池セルである、電池パック。
【発明の詳細な説明】
【技術分野】
【０００１】
本発明は、接続部材並びに蓄電ユニットおよび電池パックに関する。
【背景技術】
【０００２】
特開２０１５−２２２６２４号公報（特許文献１）には、電池列を構成する複数の電池セルの端子面に接合され、長手方向が電池列の列方向に対して平行に配置された接続端子部を備える蓄電装置に関する技術が記載されている。
【先行技術文献】
【特許文献】
【０００３】
【特許文献１】特開２０１５−２２２６２４号公報
【発明の概要】
【発明が解決しようとする課題】
【０００４】
一般的に、電源装置として使用される電池パックは、複数個の蓄電ユニットから構成され、複数個の蓄電ユニットのそれぞれは、複数の蓄電セルから構成されている。
【０００５】
例えば、電池パックから供給する電源電圧の高電圧化を図る場合には、電池パックを構成する複数個の蓄電ユニットを直列接続し、かつ、複数個の蓄電ユニットを構成する複数の蓄電セルを直列接続する構成が採用される。本明細書では、このような構成を有する電池パックを「全直列電池パック」と呼ぶことにする。
【０００６】
一方、電源装置の高容量化や大電流供給能力を向上させるためには、蓄電セルの直列接続だけでなく、蓄電セルの並列接続も使用する必要がある。本明細書では、このような構成を有する電池パックを「並直列電池パック」と呼ぶことにする。
【０００７】
ここで、既存の「全直列電池パック」を構成する複数個の蓄電ユニットの配列構成を変更せずに、個々の蓄電ユニットにおける複数個の蓄電セルの接続構成を変更するだけで、「並直列電池パック」を実現できれば、最初から新規に「並直列電池パック」を製造設計する場合に比べて、製造コストを大幅に低減することができると考えられる。
【０００８】
したがって、複数個の蓄電ユニットの配列構成を維持しながら「並直列電池パック」を実現するように、個々の蓄電ユニットに含まれる複数個の蓄電セルを接続する新規な接続部材の開発が望まれている。
【０００９】
その他の課題と新規な特徴は、本明細書の記述および添付図面から明らかになるであろう。
【課題を解決するための手段】
【００１０】
一実施の形態における接続部材は、第１方向に延在する第１仮想線に沿って設けられた第１部位と、第２方向に延在する第２仮想線に沿って設けられた第２部位と、第１部位と第２部位とを連結する連結部位とを備える。そして、さらに、一実施の形態における接続部材は、連結部位に設けられた中央穴と、第１部位に設けられた第１窪み部と、第２部位に設けられた第２窪み部とを備える。このとき、第１仮想線と第２仮想線とは、互いに交差する。
【発明の効果】
【００１１】
一実施の形態によれば、「全直列電池パック」を構成する複数個の蓄電ユニットの配列を維持しながら「並直列電池パック」を実現することができる。
【図面の簡単な説明】
【００１２】
【図１】「全直列電池パック」と「並直列電池パック」とに共通する複数個の蓄電ユニットの模式的な配列構成を示す斜視図である。
【図２】図１の第１矢印方向から蓄電ユニットの第１面を見た模式図である。
【図３】図１の第２矢印方向から蓄電ユニットの第２面（第１面とは反対側の面）を見た模式図である。
【図４】「全直列電池パック」の回路構成を示す図である。
【図５】図１の第１矢印方向から蓄電ユニットの第１面を見た模式図である。
【図６】図１の第２矢印方向から蓄電ユニットの第２面（第１面とは反対側の面）を見た模式図である。
【図７】「並直列電池パック」の回路構成を示す図である。
【図８】「並直列電池パック」を構成する蓄電ユニットの構成を示す斜視図である。
【図９】第２矢印方向から蓄電ユニットの第２面（第１面とは反対側の面）を見た斜視図である。
【図１０】（ａ）は、第１接続部材の構成を示す平面図であり、（ｂ）は、第１接続部材の構成を示す側面図である。
【図１１】（ａ）は、第２接続部材の構成を示す平面図であり、（ｂ）は、第２接続部材の構成を示す側面図である。
【図１２】第３接続部材の構成を示す平面図である。
【図１３】「並直列電池パック」に含まれる第１蓄電ユニットと第２蓄電ユニットとを直列接続する構成を示す斜視図である。
【図１４】連結部材の構成を示す模式図である。
【発明を実施するための形態】
【００１３】
実施の形態を説明するための全図において、同一の部材には原則として同一の符号を付し、その繰り返しの説明は省略する。なお、図面をわかりやすくするために平面図であってもハッチングを付す場合がある。
【００１４】
＜「並直列電池パック」の有用性＞
電池パックは、複数の蓄電ユニットを備えており、複数の蓄電ユニットのそれぞれは、複数の蓄電セルを有している。ここで、「全直列電池パック」とは、１つの蓄電ユニットに含まれいるすべての蓄電セルが直列接続され、かつ、複数の蓄電ユニットも直列接続されている電池パックである。例えば、４８個の蓄電セルを有する「全直列電池パック」では、４８個の蓄電セルが直列接続されている。詳細には、１つの蓄電ユニットには、４個の蓄電セルが含まれており、このように構成されている蓄電ユニットを１２個直列接続することにより、４８個の蓄電セルを有する「全直列電池パック」が構成される。
【００１５】
「全直列電池パック」は、すべての蓄電セルが直列接続されていることから、特に、高電圧が必要とされる用途への使用に適している。例えば、「全直列電池パック」は、鉄道車両に搭載される蓄電装置や変電設備に使用される蓄電装置に利用される。
【００１６】
一方、「並直列電池パック」とは、並列接続された蓄電セルを備える複数の蓄電ユニットが直列接続されている構成を有する電池パックである。例えば、４８個の蓄電セルを有する「並直列電池パック」では、２４個の蓄電セルが直列接続された２つの系統が互いに並列接続されている。詳細には、１つの蓄電ユニットには、４個の蓄電セルが含まれており、４個の蓄電セルのうちの２個の蓄電セルが直列接続されて第１系統を構成する一方、４個の蓄電セルのうちの他の２個の蓄電セルが直列接続されて第２系統を構成しており、この第１系統と第２系統とは並列接続されている。そして、このように構成されている蓄電ユニットを１２個直列接続することにより、４８個の蓄電セルを有する「並直列電池パック」が構成される。
【００１７】
「並直列電池パック」は、並列接続を有することから、特に、大電流が必要とされる用途への使用に適している。例えば、「並直列電池パック」は、港湾設備に配置されるクレーンを動作させるための蓄電装置に利用される。
【００１８】
このような「並直列電池パック」は、「全直列電池パック」に比べて、蓄電システムの自由度を向上できるという利点を有している。
【００１９】
例えば、「全直列電池パック」（４８直列電池パック）を使用した蓄電システムでは、例えば、「全直列電池パック」の定格電圧を「１８０Ｖ」とすると、「１８０Ｖ」の倍数単位で蓄電システムの構築がなされることになる。
【００２０】
これに対し、「並直列電池パック」（２並列２４直列電池パック）では、定格電圧が「全直列電池パック」（４８直列電池パック）の半分の「９０Ｖ」となることから、「９０Ｖ」の倍数単位で蓄電システムを構築することができる。
【００２１】
このことは、「並直列電池パック」を使用した蓄電システムによれば、「全直列電池パック」をした蓄電システムでは構築できない蓄電システムも構築できることを意味している。例えば、「２７０Ｖ」の蓄電システムを構築することを考えると、「２７０Ｖ」は、「１８０Ｖ」の定数倍では実現することができないことから、「全直列電池パック」を使用した蓄電システムで実現することはできないことになる。一方、「２７０Ｖ」は、「９０Ｖ」の定数倍（３倍）で実現することができることから、３つの「並直列電池パック」を使用した蓄電システムで実現することができる。以上のことから、「並直列電池パック」は、「全直列電池パック」に比べて、蓄電システムの自由度を向上できることがわかる。
【００２２】
ここで、本発明者は、既存の「全直列電池パック」を構成する複数個の蓄電ユニットの配列構成を変更せずに、個々の蓄電ユニットにおける複数個の蓄電セルの接続構成を変更することにより、「全直列電池パック」よりも有用性のある「並直列電池パック」を実現することを検討している。なぜなら、既存の「全直列電池パック」を「並直列電池パック」に改造することができれば、最初から新規に「並直列電池パック」を製造設計する場合に比べて、製造コストを大幅に低減することができるからである。
【００２３】
以下では、まず、「全直列電池パック」と「並直列電池パック」とに共通する複数個の蓄電ユニットの配列構成について説明する。
【００２４】
＜複数個の蓄電ユニットの配列構成（共通）＞
図１は、「全直列電池パック」と「並直列電池パック」とに共通する複数個の蓄電ユニットの模式的な配列構成を示す斜視図である。
【００２５】
図１には、蓄電ユニット１０Ａと蓄電ユニット１０Ｂとがｘ方向に隣接して配置されている。図１において、蓄電ユニット１０Ａおよび蓄電ユニット１０Ｂのそれぞれは、４個の蓄電セルを有している。具体的に、蓄電ユニット１０Ａおよび蓄電ユニット１０Ｂのそれぞれは、蓄電セル１Ａと蓄電セル１Ｂと蓄電セル１Ｃと蓄電セル１Ｄとを有している。図１に示すように、蓄電セル１Ａ〜１Ｄのそれぞれは、円筒形形状をしている。蓄電セル１Ｃと蓄電セル１Ｄは、ｘｙ平面に接する下層に配置され、かつ、ｘ方向に並んで配置されている。一方、蓄電セル１Ａは、蓄電セル１Ｃの上層に配置されているとともに、蓄電セル１Ｂは、蓄電セル１Ｄの上層に配置されている。
【００２６】
蓄電セル１Ａ〜１Ｄのそれぞれは、例えば、リチウムイオン二次電池（セル）から構成されている。リチウムイオン二次電池は、高エネルギー密度の二次電池である。リチウムイオン二次電池の形状には様々なものがあるが、円筒形形状をしたリチウムイオン二次電池は、正極、負極およびセパレータの捲回式構造が採用されている。例えば、２枚の帯状の金属箔に正極材料および負極材料をそれぞれ塗着し、その間にセパレータを挟み込んで、これらの積層体を渦巻状に捲回することで捲回群が形成されている。この捲回群を、電池容器となる円筒形形状の電池缶内に収納し、電解液を電池缶の内部に注入した後、注入口を封止することにより円筒形形状のリチウムイオン二次電池が形成される。
【００２７】
＜「全直列電池パック」の構成＞
続いて、図１に示す複数個の蓄電ユニット（１０Ａ、１０Ｂ）の配列構成からなる電池パックに対して、個々の蓄電ユニットに設けられている蓄電セル１Ａ〜１Ｄの間の接続関係を規定することにより、「全直列電池パック」を構成できることについて説明する。
【００２８】
図２は、図１の矢印方向ＦＤから蓄電ユニット１０Ａの第１面を見た模式図である。
【００２９】
図２に示すように、蓄電セル１Ａと蓄電セル１Ｂとは、接続部材２０Ａで接続されている。また、蓄電セル１Ｃは、接続部材２０Ｂと接続されている一方、蓄電セル１Ｄは、接続部材２０Ｃで接続されている。
【００３０】
図３は、図１の矢印方向ＳＤから蓄電ユニット１０Ａの第２面（第１面とは反対側の面）を見た模式図である。
【００３１】
図３に示すように、蓄電セル１Ａと蓄電セル１Ｃは、接続部材２０Ｄで接続されている一方、蓄電セル１Ｂと蓄電セル１Ｄは、接続部材２０Ｅで接続されている。
【００３２】
これにより、図２および図３において、例えば、接続部材２０Ｂ→蓄電セル１Ｃの正極（第１面側）→蓄電セル１Ｃの負極（第２面側）→接続部材２０Ｄ→蓄電セル１Ａの正極（第２面側）→蓄電セル１Ａの負極（第１面側）→接続部材２０Ａ→蓄電セル１Ｂの正極（第１面側）→蓄電セル１Ｂの負極（第２面側）→接続部材２０Ｅ→蓄電セル１Ｄの正極（第２面側）→蓄電セル１Ｄの負極（第１面側）→接続部材２０Ｃの経路で、蓄電セル１Ａ〜１Ｄは直列接続されていることになる。
【００３３】
＜「全直列電池パック」の回路構成＞
次に、「全直列電池パック」の回路構成について説明する。
【００３４】
図４は、「全直列電池パック」の回路構成を示す図である。
【００３５】
図４において、「全直列電池パック」は、蓄電ユニット１０Ａと、セルコントローラ１００と、電位検出線１１０Ａ〜１１０Ｄを有している。
【００３６】
蓄電ユニット１０Ａは、蓄電セル１Ａ〜１Ｄ（４つの蓄電セル）を有する。蓄電ユニット１０Ａにおいて、接続部材２０Ｂは、蓄電セル１Ｃと電気的に接続されている。また、蓄電セル１Ｃと蓄電セル１Ａとは、接続部材２０Ｄで電気的に接続され、かつ、蓄電セル１Ａと蓄電セル１Ｂとは、接続部材２０Ａで電気的に接続されている。さらに、蓄電セル１Ｂと蓄電セル１Ｄとは、接続部材２０Ｅで電気的に接続され、かつ、蓄電セル１Ｄは、接続部材２０Ｃと電気的に接続されている。これにより、蓄電ユニット１０Ａにおいて、蓄電セル１Ｃと蓄電セル１Ａと蓄電セル１Ｂと蓄電セル１Ｄとが直列接続されている。電池パックは、このように構成されている蓄電ユニット１０Ａと同様の構成を有する蓄電ユニットを複数個有し、複数個の蓄電ユニットが直列接続されている。これにより、「全直列電池パック」が構成される。
【００３７】
図４において、蓄電ユニット１０Ａは、セルコントローラ１００と電気的に接続されている。具体的に、蓄電ユニット１０Ａは、電位検出線１１０Ａ〜１１０Ｄを介して、セルコントローラ１００と電気的に接続されている。
【００３８】
セルコントローラ１００は、蓄電セルの電圧を検出するように構成されており、複数の検出素子を含んでいる。
【００３９】
例えば、図４において、セルコントローラ１００は、接続部材２０Ｂと電気的に接続されている電位検出線１１０Ａを介して、蓄電セル１Ｃの正極電位を検出素子（第１検出素子）で測定するように構成されている。
【００４０】
また、図４において、セルコントローラ１００は、接続部材２０Ｄと電気的に接続されている電位検出線１１０Ｂを介して、蓄電セル１Ｃと蓄電セル１Ａとの間の電位を検出素子（第２検出素子）で測定するように構成されている。
【００４１】
さらに、図４において、セルコントローラ１００は、接続部材２０Ａと電気的に接続されている電位検出線１１０Ｃを介して、蓄電セル１Ａと蓄電セル１Ｂとの間の電位を検出素子（第３検出素子）で測定するように構成されている。
【００４２】
同様に、図４において、セルコントローラ１００は、接続部材２０Ｅと電気的に接続されている電位検出線１１０Ｄを介して、蓄電セル１Ｂと蓄電セル１Ｄとの間の電位を検出素子（第４検出素子）で測定するように構成されている。
【００４３】
以上のようにして、「全直列電池パック」の回路構成が実現されている。
【００４４】
＜「並直列電池パック」の構成＞
次に、図１に示す複数個の蓄電ユニット（１０Ａ、１０Ｂ）の配列構成からなる電池パックに対して、個々の蓄電ユニットに設けられている蓄電セル１Ａ〜１Ｄの間の接続関係を規定することにより、「並直列電池パック」を構成できることについて説明する。
【００４５】
図５は、図１の矢印方向ＦＤから蓄電ユニット１０Ａの第１面を見た模式図である。
【００４６】
図５に示すように、蓄電セル１Ａと蓄電セル１Ｃとは、接続部材３０Ａで接続されている。また、蓄電セル１Ｂと蓄電セル１Ｄとは、接続部材３０Ｂで接続されている。
【００４７】
図６は、図１の矢印方向ＳＤから蓄電ユニット１０Ａの第２面（第１面とは反対側の面）を見た模式図である。
【００４８】
図６に示すように、蓄電セル１Ａと蓄電セル１Ｂと蓄電セル１Ｃと蓄電セル１Ｄは、Ｈ形状をした接続部材３０Ｃで接続されている。
【００４９】
これにより、図５において、接続部材３０Ａによって、蓄電セル１Ａの正極（第１面側）と蓄電セル１Ｃの正極（第１面側）の両方が接続され、かつ、図６において、接続部材３０Ｃによって、蓄電セル１Ａの負極（第２面側）と蓄電セル１Ｃの負極（第２面側）の両方が接続される。この結果、接続部材３０Ａと接続部材３０Ｃとによって、蓄電セル１Ａと蓄電セル１Ｃとは並列接続されることになる。
【００５０】
また、図５において、接続部材３０Ｂによって、蓄電セル１Ｂの負極（第１面側）と蓄電セル１Ｄの負極（第１面側）の両方が接続され、かつ、図６において、接続部材３０Ｃによって、蓄電セル１Ｂの正極（第２面側）と蓄電セル１Ｄの正極（第２面側）の両方が接続される。この結果、接続部材３０Ｂと接続部材３０Ｃとによって、蓄電セル１Ｂと蓄電セル１Ｄとは並列接続されることになる。
【００５１】
そして、図６において、接続部材３０Ｃは、蓄電セル１Ａの負極（第２面側）および蓄電セル１Ｃの負極（第２面側）と、蓄電セル１Ｂの正極（第２面側）および蓄電セル１Ｄの正極（第２面側）と接続されている。このことから、互いに並列接続されている蓄電セル１Ａおよび蓄電セル１Ｃは、互いに並列接続されている蓄電セル１Ｂおよび蓄電セル１Ｄと直列接続されていることになる。
【００５２】
＜「並直列電池パック」の回路構成＞
続いて、「並直列電池パック」の回路構成について説明する。
【００５３】
図７は、「並直列電池パック」の回路構成を示す図である。
【００５４】
図７において、「並直列電池パック」は、蓄電ユニット１０Ａと、セルコントローラ１００と、電位検出線１２０Ａ〜１２０Ｃを有している。
【００５５】
蓄電ユニット１０Ａは、蓄電セル１Ａ〜１Ｄ（４つの蓄電セル）を有する。蓄電ユニット１０Ａにおいて、接続部材３０Ａは、蓄電セル１Ａと蓄電セル１Ｃの両方と電気的に接続されている。また、蓄電セル１Ａと蓄電セル１Ｂと蓄電セル１Ｃと蓄電セル１Ｄは、接続部材３０Ｃで電気的に接続されている。さらに、蓄電セル１Ｂと蓄電セル１Ｄとは、接続部材３０Ｂで電気的に接続されている。これにより、蓄電ユニット１０Ａにおいて、蓄電セル１Ａと蓄電セル１Ｃとが並列接続され、かつ、蓄電セル１Ｂと蓄電セル１Ｄとが並列接続されている。そして、並列接続されている蓄電セル１Ａと蓄電セル１Ｃは、並列接続されている蓄電セル１Ｂと蓄電セル１Ｄと直列接続されている。すなわち、直列接続されている蓄電セル１Ａと蓄電セル１Ｂとによって第１系統が構成されている一方、直列接続されている蓄電セル１Ｃと蓄電セル１Ｄとによって第２系統が構成されており、第１系統と第２系統とが並列接続されている。電池パックは、このように構成されている蓄電ユニット１０Ａと同様の構成を有する蓄電ユニットを複数個有し、複数個の蓄電ユニットが直列接続されている。これにより、「並直列電池パック」が構成される。
【００５６】
図７において、蓄電ユニット１０Ａは、セルコントローラ１００と電気的に接続されている。具体的に、蓄電ユニット１０Ａは、電位検出線１２０Ａ〜１２０Ｃ」を介して、セルコントローラ１００と電気的に接続されている。
【００５７】
セルコントローラ１００は、蓄電セルの電圧を検出するように構成されており、複数の検出素子を含んでいる。
【００５８】
例えば、図７において、セルコントローラ１００は、接続部材３０Ａと電気的に接続されている電位検出線１２０Ａを介して、蓄電セル１Ａ（蓄電セル１Ｃ）の正極電位を検出素子（第１検出素子）で測定するように構成されている。
【００５９】
また、図７において、セルコントローラ１００は、接続部材３０Ｃと電気的に接続されている電位検出線１２０Ｂを介して、直列接続されている蓄電セル１Ａと蓄電セル１Ｂとの間の電位（言い換えれば、直列接続されている蓄電セル１Ｃと蓄電セル１Ｄとの間の電位）を検出素子（第２検出素子）で測定するように構成されている。
【００６０】
さらに、図７において、セルコントローラ１００は、接続部材３０Ｂと電気的に接続されている電位検出線１２０Ｃを介して、蓄電セル１Ｂ（蓄電セル１Ｄ）の負極電位を検出素子（第３検出素子）で測定するように構成されている。
【００６１】
以上のようにして、「並直列電池パック」の回路構成が実現されている。
【００６２】
＜「並直列電池パック」の利点＞
次に、「並直列電池パック」の利点について説明する。
【００６３】
まず、図４に示すように、「全直列電池パック」では、１個の蓄電ユニット１０Ａに対して、電位の測定点が４箇所となっている。これに対し、図７に示すように、「並直列電池パック」では、１個の蓄電ユニット１０Ａに対して、電位の測定点が３箇所となっている。つまり、図７に示す「並直列電池パック」は、図４に示す「全直列電池パック」よりも、１個の蓄電ユニット１０Ａに対する電位の測定点が少なくなる。
【００６４】
このことは、図４に示す「全直列電池パック」では、４本の電位検出線（電位検出線１１Ａ、電位検出線１１０Ｂ、電位検出線１１０Ｃ、電位検出線１１０Ｄ）が必要となるのに対し、図７に示す「並直列電池パック」では、３本の電位検出線（電位検出線１２０Ａ、電位検出線１２０Ｂ、電位検出線１２０Ｃ）が必要となることを意味している。したがって、「並直列電池パック」では、「全直列電池パック」よりも電位検出線の本数を低減することができることになる。この結果、「並直列電池パック」によれば、電池パックの構成を簡素化できるとともに、部材費を低減することができる。そして、「並直列電池パック」では、「全直列電池パック」よりも、１個の蓄電ユニット１０Ａに対する電位検出線の本数が少なくなるということは、電位検出線の接続箇所が少なくなることを意味し、これによって、電位検出線を接続する作業工程の簡素化を図ることができる。さらには、「並直列電池パック」では、「全直列電池パック」よりも、電位検出線と接続されるセルコントローラに含まれる検出素子の個数を削減できることになり、この点からも「並直列電池パック」では、電池パックを簡素化できるとともに、部材費を低減できることになる。
【００６５】
＜「並直列電池パック」の具体的な構成＞
続いて、「並直列電池パック」を実現する具体的な構成について説明する。
【００６６】
＜＜蓄電ユニット１０Ａの構成＞＞
図８は、「並直列電池パック」を構成する蓄電ユニット１０Ａの構成を示す斜視図である。図８において、「並直列電池パック」を構成する蓄電ユニット１０Ａは、蓄電セル１Ａと蓄電セル１Ｂと蓄電セル１Ｃと蓄電セル１Ｄとを有している。図８に示すように、蓄電セル１Ａ〜１Ｄのそれぞれは、円筒形形状をしている。蓄電セル１Ｃと蓄電セル１Ｄは、ｘｙ平面に接する下層に配置され、かつ、ｘ方向に並んで配置されている。一方、蓄電セル１Ａは、蓄電セル１Ｃの上層に配置されているとともに、蓄電セル１Ｂは、蓄電セル１Ｄの上層に配置されている。そして、矢印方向ＦＤから見た蓄電ユニット１０Ａの第１面において、蓄電セル１Ａと蓄電セル１Ｃとは、接続部材３０Ａで接続されているとともに、蓄電セル１Ｂと蓄電セル１Ｄとは、接続部材３０Ｂで接続されている。さらに、図９に示すように、矢印方向ＳＤから見た蓄電ユニット１０Ａの第２面（第１面とは反対側の面）において、蓄電セル１Ａと蓄電セル１Ｂと蓄電セル１Ｃと蓄電セル１Ｄとは、接続部材３０Ｃで接続されている。以上のようにして、「並直列電池パック」が構成されている。
【００６７】
＜＜接続部材３０Ａの構成＞＞
次に、図８に示す接続部材３０Ａの構成について説明する。
【００６８】
接続部材３０Ａは、例えば、図８に示すように、蓄電ユニット１０Ａに含まれる蓄電セル１Ａと蓄電セル１Ｃとを接続するための部材である。
【００６９】
図１０（ａ）は、接続部材３０Ａの構成を示す平面図であり、図１０（ｂ）は、接続部材３０Ａの構成を示す側面図である。
【００７０】
図１０（ａ）に示すように、接続部材３０Ａは、第１方向に延在する仮想線ＶＬ１（第１仮想線）に沿って設けられた第１部位Ｐ１と、第２方向に延在する仮想線ＶＬ２（第２仮想線）に沿って設けられた第２部位Ｐ２とを有する。そして、第１部位Ｐ１と第２部位Ｐ２とは、連結部位ＣＰによって連結するように構成されている。このとき、第１部位Ｐ１と第２部位Ｐ２と連結部位ＣＰとは、一体的に形成されている。
【００７１】
図１０（ａ）において、仮想線ＶＬ１と仮想線ＶＬ２とのなす角度θ１は、１８０度を除く角度であり、特に、接続部材３０Ａでは、仮想線ＶＬ１と仮想線ＶＬ２とのなす角度は、１８０度よりも小さくなっている。
【００７２】
続いて、図１０（ａ）に示すように、接続部材３０Ａの連結部位ＣＰには、中央穴２００が形成されている。一方、接続部材３０Ａの第１部位Ｐ１には、対となる窪み部３００Ａと窪み部３００Ｂとが形成されている。窪み部３００Ａと窪み部３００Ｂとは、例えば、仮想線ＶＬ１に対して線対称に配置される。また、接続部材３０Ａの第２部位Ｐ２には、対となる窪み部３００Ｃと窪み部３００Ｄとが形成されている。窪み部３００Ｃと窪み部３００Ｄとは、例えば、仮想線ＶＬ２に対して線対称に配置される。
【００７３】
次に、図１０（ｂ）において、接続部材３０Ａは、中央穴２００に整合して設けられたナット４００を有する。このように構成されている接続部材３０Ａは、例えば、無酸素銅に代表される銅材から構成されており、その板厚は、例えば、０．８ｍｍ程度である。
【００７４】
＜＜接続部材３０Ｂの構成＞＞
次に、図８に示す接続部材３０Ｂの構成について説明する。
【００７５】
接続部材３０Ｂは、例えば、図８に示すように、蓄電ユニット１０Ａに含まれる蓄電セル１Ｂと蓄電セル１Ｄとを接続するための部材である。
【００７６】
図１１（ａ）は、接続部材３０Ｂの構成を示す平面図であり、図１１（ｂ）は、接続部材３０Ｂの構成を示す側面図である。
【００７７】
図１１（ａ）に示すように、接続部材３０Ｂは、第３方向に延在する仮想線ＶＬ３（第３仮想線）に沿って設けられた第３部位Ｐ３と、第４方向に延在する仮想線ＶＬ４（第４仮想線）に沿って設けられた第４部位Ｐ４とを有する。そして、第３部位Ｐ３と第４部位Ｐ４とは、連結部位ＣＰ２によって連結するように構成されている。このとき、第３部位Ｐ３と第４部位Ｐ４と連結部位ＣＰ２とは、一体的に形成されている。
【００７８】
図１１（ａ）において、仮想線ＶＬ３と仮想線ＶＬ４とのなす角度θ２は、１８０度を除く角度であり、特に、接続部材３０Ｂでは、仮想線ＶＬ３と仮想線ＶＬ４とのなす角度は、１８０度よりも大きくなっている。
【００７９】
続いて、図１１（ａ）に示すように、接続部材３０Ｂの連結部位ＣＰ２には、中央穴５００が形成されている。一方、接続部材３０Ｂの第３部位Ｐ３には、対となる窪み部６００Ａと窪み部６００Ｂとが形成されている。窪み部６００Ａと窪み部６００Ｂとは、例えば、仮想線ＶＬ３に対して線対称に配置される。また、接続部材３０Ｂの第４部位Ｐ４には、対となる窪み部６００Ｃと窪み部６００Ｄとが形成されている。窪み部６００Ｃと窪み部６００Ｄとは、例えば、仮想線ＶＬ４に対して線対称に配置される。
【００８０】
次に、図１１（ｂ）において、接続部材３０Ｂは、中央穴５００に整合して設けられたナット７００を有する。このように構成されている接続部材３０Ｂは、例えば、無酸素銅に代表される銅材から構成されており、その板厚は、例えば、０．８ｍｍ程度である。
【００８１】
＜＜接続部材３０Ｃの構成＞＞
続いて、図９に示す接続部材３０Ｃの構成について説明する。
【００８２】
接続部材３０Ｃは、例えば、図９に示すように、蓄電ユニット１０Ａに含まれる蓄電セル１Ａと蓄電セル１Ｂと蓄電セル１Ｃと蓄電セル１Ｄとを接続するための部材である。
【００８３】
図１２は、接続部材３０Ｃの構成を示す平面図である。
【００８４】
図１２に示すように、接続部材３０Ｃは、第５方向に延在する仮想線ＶＬ５（第５仮想線）に沿って設けられた第５部位Ｐ５と、仮想線ＶＬ５と並行して延在する仮想線ＶＬ６（第６仮想線）に沿って設けられた第６部位Ｐ６とを有する。そして、第５部位Ｐ５と第６部位Ｐ６とは、仮想線ＶＬ５と仮想線ＶＬ６とに直交する仮想線ＶＬ７（第７仮想線）に沿って設けられた連結部位ＣＰ３によって連結されている。このとき、第５部位Ｐ５と第６部位Ｐ６と連結部位ＣＰ３とは、一体的に形成されている。
【００８５】
続いて、図１２に示すように、接続部材３０Ｃの第５部位Ｐ５には、窪み部８００Ａと窪み部８００Ｂと窪み部８００Ｃと窪み部８００Ｄとが形成されている。
【００８６】
このとき、窪み部８００Ａと窪み部８００Ｂとは、仮想線ＶＬ７に対して線対称に配置されているとともに、窪み部８００Ｃと窪み部８００Ｄも、仮想線ＶＬ７に対して線対称に配置されている。一方、窪み部８００Ａと窪み部８００Ｃとは、仮想線ＶＬ５に対して線対称に配置されているとともに、窪み部８００Ｂと窪み部８００Ｄも、仮想線ＶＬ５に対して線対称に配置されている。
【００８７】
接続部材３０Ｃの第６部位Ｐ６には、窪み部８００Ｅと窪み部８００Ｆと窪み部８００Ｇと窪み部８００Ｈとが形成されている。
【００８８】
このとき、窪み部８００Ｅと窪み部８００Ｆとは、仮想線ＶＬ７に対して線対称に配置されているとともに、窪み部８００Ｇと窪み部８００Ｈも、仮想線ＶＬ７に対して線対称に配置されている。一方、窪み部８００Ｅと窪み部８００Ｇとは、仮想線ＶＬ６に対して線対称に配置されているとともに、窪み部８００Ｆと窪み部８００Ｈも、仮想線ＶＬ６に対して線対称に配置されている。
【００８９】
このように構成されている接続部材３０Ｃは、例えば、無酸素銅に代表される銅材から構成されており、その板厚は、例えば、０．８ｍｍ程度である。
【００９０】
＜＜蓄電セルと接続部材との接続関係＞＞
まず、図８において、矢印方向ＦＤから見た蓄電ユニット１０Ａの第１面側には、接続部材３０Ａと接続部材３０Ｂとが設けられている。具体的に、図８において、接続部材３０Ａには、窪み部３００Ａと窪み部３００Ｂと窪み部３００Ｃと窪み部３００Ｄとが形成されている。そして、蓄電セル１Ａと接続部材３０Ａに形成されている窪み部３００Ａとは溶接されており、同様に、蓄電セル１Ａと接続部材３０Ａに形成されている窪み部３００Ｂとは溶接されている。つまり、蓄電セル１Ａと接続部材３０Ａとは溶接によって接続されている。また、蓄電セル１Ｃと接続部材３０Ａに形成されている窪み部３００Ｃとは溶接されており、同様に、蓄電セル１Ｃと接続部材３０Ａに形成されている窪み部３００Ｄとは溶接されている。つまり、蓄電セル１Ｃと接続部材３０Ａとは溶接によって接続されている。以上のようにして、蓄電セル１Ａと蓄電セル１Ｃとは、第１面側において、接続部材３０Ａによって接続されていることになる。
【００９１】
なお、本実施の形態では、蓄電セル１Ａと接続部材３０Ａとの接続および蓄電セル１Ｃと接続部材３０Ａとの接続に溶接を使用しているが、これに限らず、蓄電セル１Ａと接続部材３０Ａとの電気的な接続および蓄電セル１Ｃと接続部材３０Ａとの電気的な接続を実現できればよい。したがって、例えば、蓄電セル１Ａと接続部材３０Ａとの接続および蓄電セル１Ｃと接続部材３０Ａとの接続に、ボルトとナットによる接続なども使用できる。
【００９２】
次に、図８において、接続部材３０Ｂには、窪み部６００Ａと窪み部６００Ｂと窪み部６００Ｃと窪み部６００Ｄとが形成されている。そして、蓄電セル１Ｂと接続部材３０Ｂに形成されている窪み部６００Ａとは溶接されており、同様に、蓄電セル１Ｂと接続部材３０Ｂに形成されている窪み部６００Ｂとは溶接されている。つまり、蓄電セル１Ｂと接続部材３０Ｂとは溶接によって接続されている。また、蓄電セル１Ｄと接続部材３０Ｂに形成されている窪み部６００Ｃとは溶接されており、同様に、蓄電セル１Ｄと接続部材３０Ｂに形成されている窪み部６００Ｄとは溶接されている。つまり、蓄電セル１Ｄと接続部材３０Ｂとは溶接によって接続されている。以上のようにして、蓄電セル１Ｂと蓄電セル１Ｄとは、第１面側において、接続部材３０Ｂによって接続されていることになる。
【００９３】
なお、本実施の形態では、蓄電セル１Ｂと接続部材３０Ｂとの接続および蓄電セル１Ｄと接続部材３０Ｂとの接続に溶接を使用しているが、これに限らず、蓄電セル１Ｂと接続部材３０Ｂとの電気的な接続および蓄電セル１Ｄと接続部材３０Ｂとの電気的な接続を実現できればよい。したがって、例えば、蓄電セル１Ｂと接続部材３０Ｂとの接続および蓄電セル１Ｄと接続部材３０Ｂとの接続に、ボルトとナットによる接続なども使用できる。
【００９４】
続いて、図９において、矢印方向ＳＤから見た蓄電ユニット１０Ａの第２面側（第１面側とは反対側）には、接続部材３０Ｃが設けられている。具体的に、図９において、接続部材３０Ｃには、窪み部８００Ａと窪み部８００Ｂと窪み部８００Ｃと窪み部８００Ｄと窪み部８００Ｅと窪み部８００Ｆと窪み部８００Ｇと窪み部８００Ｈとが形成されている。そして、蓄電セル１Ａと接続部材３０Ｃに形成されている窪み部８００Ａとは、溶接されており、同様に、蓄電セル１Ａと接続部材３０Ｃに形成されている窪み部８００Ｃとは溶接されている。つまり、蓄電セル１Ａと接続部材３０Ｃとは溶接によって接続されている。また、蓄電セル１Ｂと接続部材３０Ｃに形成されている窪み部８００Ｂとは、溶接されており、同様に、蓄電セル１Ｂと接続部材３０Ｃに形成されている窪み部８００Ｄとは溶接されている。つまり、蓄電セル１Ｂと接続部材３０Ｃとは溶接によって接続されている。さらに、蓄電セル１Ｃと接続部材３０Ｃに形成されている窪み部８００Ｅとは、溶接されており、同様に、蓄電セル１Ｃと接続部材３０Ｃに形成されている窪み部８００Ｇとは溶接されている。つまり、蓄電セル１Ｃと接続部材３０Ｃとは溶接によって接続されている。また、蓄電セル１Ｄと接続部材３０Ｃに形成されている窪み部８００Ｆとは、溶接されており、同様に、蓄電セル１Ｄと接続部材３０Ｃに形成されている窪み部８００Ｈとは溶接されている。つまり、蓄電セル１Ｄと接続部材３０Ｃとは溶接によって接続されている。以上のようにして、蓄電セル１Ａと蓄電セル１Ｂと蓄電セル１Ｃと蓄電セル１Ｄは、第２面側において、接続部材３０Ｃによって接続されていることになる。
【００９５】
なお、蓄電セル１Ａ〜１Ｄのそれぞれと接続部材３０Ｃとの接続に溶接を使用しているが、これに限らず、蓄電セル１Ａ〜１Ｄのそれぞれと接続部材３０Ｃとの電気的な接続を実現できればよい。したがって、例えば、蓄電セル１Ａ〜１Ｄのそれぞれと接続部材３０Ｃとの接続に、ボルトとナットによる接続なども使用できる。
【００９６】
＜＜蓄電ユニット間の接続構成＞＞
次に、蓄電ユニット間の接続構成について説明する。「並直列電池パック」は、複数の蓄電ユニットを含み、複数の蓄電ユニットが直列接続されている構成を有している。以下では、複数の蓄電ユニットを直列接続する構成について説明する。
【００９７】
図１３は、「並直列電池パック」に含まれる蓄電ユニット１０Ａと蓄電ユニット１０Ｂとを直列接続する構成を示す斜視図である。
【００９８】
図１３において、蓄電ユニット１０Ａの接続部材３０Ｂと、蓄電ユニット１０Ｂの接続部材３０Ａとを接続している。これにより、蓄電ユニット１０Ａと蓄電ユニット１０Ｂとを直列接続する構成を実現することができる。具体的に、図１３において、蓄電ユニット１０Ａの接続部材３０Ｂと蓄電ユニット１０Ｂの接続部材３０Ａとは、連結部材３０Ｄによって接続されている。
【００９９】
図１４は、連結部材３０Ｄの構成を示す模式図である。
【０１００】
図１４に示すように、連結部材３０Ｄは、例えば、互いにサイズの異なる連結穴９００Ａと連結穴９００Ｂとを有している。この連結穴９００Ａおよび連結穴９００Ｂは、ボルトを挿入可能に構成されている。このように構成されている連結部材３０Ｄを使用して、蓄電ユニット１０Ａの接続部材３０Ｂと蓄電ユニット１０Ｂの接続部材３０Ａとが接続されている。詳細には、まず、図１１（ｂ）に示すように、接続部材３０Ｂは、中央穴５００に整合して設けられたナット７００を有している。同様に、図１０（ｂ）に示すように、接続部材３０Ａは、中央穴２００に整合して設けられたナット４００を有している。
【０１０１】
そして、図１３に示すように、蓄電ユニット１０Ａの接続部材３０Ｂに形成されている中央穴５００と連結部材３０Ｄの連結穴９００Ａとを重ね合わせて、この中央穴５００と連結穴９００Ａに第１ボルトを挿入した後、この第１ボルトを接続部材３０Ｂの中央穴５００の裏側に設けられているナット（図１１（ｂ）のナット７００）を使用して締結する（固定する）。同様に、図１３に示すように、蓄電ユニット１０Ｂの接続部材３０Ａに形成されている中央穴２００と連結部材３０Ｄの連結穴９００Ｂとを重ね合わせて、この中央穴２００と連結穴９００Ｂに第２ボルトを挿入した後、この第２ボルトを接続部材３０Ａの中央穴２００の裏側に設けられているナット（図１０（ｂ）のナット４００）を使用して締結する（固定する）。これにより、図１３に示すように、「並直列電池パック」に含まれる蓄電ユニット１０Ａと蓄電ユニット１０Ｂとを直列接続することができる。
【０１０２】
このとき、図１４に示すように、連結部材３０Ｄに設けられている連結穴９００Ａと連結穴９００Ｂは、サイズが異なることが望ましい。なぜなら、この場合、連結部材３０Ｄに「遊び」ができる結果、ボルトとナットを使用して、接続部材３０Ａと連結部材３０Ｄとを接続するとともに、接続部材３０Ｂと連結部材３０Ｄとを接続する際の接続容易性を向上することができるからである。
【０１０３】
＜実施の形態における特徴＞
続いて、本実施の形態における特徴点について説明する。
【０１０４】
まず、前提として、例えば、図１０（ａ）および図１１（ａ）に示すように、蓄電ユニットに含まれる複数の蓄電セル間を接続するための接続部材３０Ａ（３０Ｂ）は、以下の構成を含む。すなわち、接続部材３０Ａ（３０Ｂ）が、第１仮想線（第３仮想線）に沿って設けられた第１部位Ｐ１（第３部位Ｐ３）と、第２仮想線（第４仮想線）に沿って設けられた第２部位Ｐ２（第４部位）と、第１部位Ｐ１（第３部位Ｐ３）と第２部位Ｐ２（第４部位Ｐ４）とを連結する連結部位ＣＰ（ＣＰ２）とを有する。そして、接続部材３０Ａ（３０Ｂ）は、連結部位ＣＰ（ＣＰ２）に設けられた中央穴２００（５００）と、第１部位Ｐ１（第３部位Ｐ３）に設けられた窪み部３００Ａ、３００Ｂ（６００Ａ、６００Ｂ）と、第２部位Ｐ２（第４部位Ｐ４）に設けられた窪み部３００Ｃ、３００Ｄ（６００Ｃ、６００Ｄ）とを備える。このとき、本実施の形態における第１特徴点は、例えば、図１０（ａ）および図１１（ａ）に示すように、第１仮想線（第３仮想線）と第２仮想線（第４仮想線）とは、互いに交差する点にある。
【０１０５】
これにより、本実施の形態によれば、例えば、図８に示すように、４つの蓄電セル１Ａ〜１Ｄからなる蓄電ユニット１０Ａにおいて、蓄電セルと接続部材とを接続しながら、例えば、図１３に示すように、隣接する蓄電ユニット１０Ａと蓄電ユニット１０Ｂとを最短距離で接続することができる。つまり、本実施の形態における第１特徴点を有する接続部材（３０Ａ、３０Ｂ）を使用することにより、「並直列電池パック」の構成単位となる蓄電ユニットに含まれる４つの蓄電セルに対して、「２並列２直列」構成を実現しながら、隣接する蓄電ユニットを最短距離で直列接続することができる。
【０１０６】
例えば、第１仮想線（第３仮想線）と第２仮想線（第４仮想線）のなす角度が１８０度であるとすると、例えば、図１３において、接続部材３０Ｂに形成されている中央穴５００と、接続部材３０Ａに形成されている中央穴２００との間の距離が長くなる。言い換えれば、第１仮想線（第３仮想線）と第２仮想線（第４仮想線）とが一致すると、例えば、図１３において、接続部材３０Ｂに形成されている中央穴５００と、接続部材３０Ａに形成されている中央穴２００との間の距離が長くなる。このことは、中央穴５００と中央穴２００とを連結する連結部材３０Ｄの長さが長くなることを意味し、これによって、連結部材３０Ｄにおける寄生抵抗が大きくなることになる。そして、この場合、「並直列電池パック」全体の寄生抵抗が大きくなってしまう。特に、「並直列電池パック」に含まれる複数の蓄電ユニットの個数が増加すると、これらの複数の蓄電ユニットを直列接続する連結部材３０Ｄの個数も多くなる。そして、個々の連結部材３０Ｄの個数が大きくなる場合、連結部材３０Ｄの単体にわずかな寄生抵抗の増大が生じると、「並直列電池パック」全体の寄生抵抗の増大に多大なる悪影響を及ぼすことになる。
【０１０７】
この点に関し、本実施の形態における接続部材３０Ａ（３０Ｂ）では、第１仮想線（第３仮想線）と第２仮想線（第４仮想線）とは、互いに交差している。このため、本実施の形態によれば、例えば、図１３に示すように、蓄電セルと接続部材との接続を確保しながらも、蓄電ユニット１０Ａに設けられている接続部材３０Ｂと、蓄電ユニット１０Ｂに設けられている接続部材３０Ａとを最短距離で接続することができる。すなわち、本実施の形態における第１特徴点によれば、蓄電セルと接続部材との接続を確保する一方で、接続部材３０Ｂに設けられた中央穴５００と接続部材３０Ａに設けられた中央穴２００との間の距離を短くすることができる。このことから、本実施の形態における第１特徴点によれば、中央穴５００と中央穴２００とを連結する連結部材３０Ｄの長さを短くできることになる。これにより、本実施の形態における第１特徴点によれば、連結部材３０Ｄにおける寄生抵抗の増大を抑制することができる。特に、本実施の形態における第１特徴点は、「並直列電池パック」に含まれる複数の蓄電ユニットの個数が増加する場合においても、「並直列電池パック」全体の寄生抵抗の増大を抑制できる点で有用である。
【０１０８】
さらには、本実施の形態における第１特徴点に加えて、連結部材３０Ｄの寄生抵抗を抑制する観点から、連結部材３０Ｄの板厚を厚くすることが望ましい。例えば、連結部材３０Ｄの板厚は、接続部材３０Ａ（３０Ｂ）の板厚よりも厚くすることが望ましい。具体的に、接続部材３０Ａ（３０Ｂ）の板厚が０．８ｍｍ程度である場合に、連結部材３０Ｄの板厚を２．０ｍｍ程度にすることができる。
【０１０９】
次に、本実施の形態における第２特徴点は、例えば、図１０（ｂ）および図１１（ｂ）に示すように、接続部材３０Ａ（３０Ｂ）に、中央穴２００（５００）に整合してナット４００（７００）が設けられている点である。これにより、接続部材３０Ａ（３０Ｂ）と図１４に示す連結部材３０Ｄとをボルトとナットを使用して締結することができる。すなわち、本実施の形態における第２特徴点によれば、互いに隣接する蓄電ユニットをボルトとナットで接続することができる。このことは、一端、互いに隣接する蓄電ユニット同士を接続した後も容易に取り外しが可能になることを意味する。例えば、「並直列電池パック」を構成する複数の蓄電ユニットのうちの一部の蓄電ユニットに不良が発生した場合、本実施の形態のように、複数の蓄電ユニットが取り外し可能なボルトとナットで接続されていると、不良となっている蓄電ユニットを取り外して、良品の蓄電ユニットに付け替えることが可能となる。この結果、本実施の形態における第２特徴点によれば、たとえ、「並直列電池パック」を構成する一部の蓄電ユニットに不良が発生しても、「並直列電池パック」全体が不良品として破棄されることを抑制できる。
【０１１０】
続いて、本実施の形態における第３特徴点は、例えば、図８に示すように、蓄電ユニットを構成する複数の蓄電セル（１Ａ〜１Ｄ）が、接続部材（３０Ａ、３０Ｂ）と溶接によって接続されている点にある。これにより、本実施の形態における第３特徴点によれば、蓄電セル（１Ａ〜１Ｄ）と接続部材（３０Ａ、３０Ｂ）とを接続する作業性を向上することができる。特に、本実施の形態では、接続部材（３０Ａ、３０Ｂ）に窪み部（３００Ａ〜３００Ｄ、６００Ａ〜６００Ｄ）を設けて、この窪み部（３００Ａ〜３００Ｄ、６００Ａ〜６００Ｄ）を使用して、蓄電セル（１Ａ〜１Ｄ）と接続部材（３０Ａ、３０Ｂ）とを溶接しているので、蓄電セル（１Ａ〜１Ｄ）と接続部材（３０Ａ、３０Ｂ）との接続信頼性を確保できる。すなわち、本実施の形態１における第３特徴点によれば、蓄電セル（１Ａ〜１Ｄ）と接続部材（３０Ａ、３０Ｂ）との接続信頼性を確保しながら、蓄電セル（１Ａ〜１Ｄ）と接続部材（３０Ａ、３０Ｂ）とを接続する作業性を向上できる。
【０１１１】
さらに、本実施の形態では、例えば、図８において、蓄電セル１Ａと接続部材３０Ａとは、２箇所の窪み部（３００Ａ、３００Ｂ）で溶接されている。この結果、本実施の形態によれば、１箇所の窪み部で溶接する構成に比べて、蓄電セル（１Ａ〜１Ｄ）と接続部材（３０Ａ、３０Ｂ）との接続強度を向上することができる。これにより、「並直列電池パック」において、蓄電セル（１Ａ〜１Ｄ）と接続部材（３０Ａ、３０Ｂ）との接続不良を低減できることになり、これによって、本実施の形態によれば、「並直列電池パック」の信頼性を向上することができる。
【０１１２】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【符号の説明】
【０１１３】
１Ａ  蓄電セル
１Ｂ  蓄電セル
１Ｃ  蓄電セル
１Ｄ  蓄電セル
１０Ａ  蓄電ユニット
１０Ｂ  蓄電ユニット
３０Ａ  接続部材
３０Ｂ  接続部材
３０Ｃ  接続部材
３０Ｄ  連結部材
２００  中央穴
３００Ａ  窪み部
３００Ｂ  窪み部
３００Ｃ  窪み部
３００Ｄ  窪み部
４００  ナット
５００  中央穴
６００Ａ  窪み部
６００Ｂ  窪み部
６００Ｃ  窪み部
６００Ｄ  窪み部
７００  ナット
８００Ａ  窪み部
８００Ｂ  窪み部
８００Ｃ  窪み部
８００Ｄ  窪み部
８００Ｅ  窪み部
８００Ｆ  窪み部
８００Ｇ  窪み部
８００Ｈ  窪み部
９００Ａ  連結穴
９００Ｂ  連結穴
Ｐ１  第１部位
Ｐ２  第２部位
Ｐ３  第３部位
Ｐ４  第４部位
Ｐ５  第５部位
Ｐ６  第６部位
ＣＰ  連結部位
ＣＰ２  連結部位
ＣＰ３  連結部位
ＶＬ１  仮想線
ＶＬ２  仮想線
ＶＬ３  仮想線
ＶＬ４  仮想線
ＶＬ５  仮想線
ＶＬ６  仮想線
ＶＬ７  仮想線
【図１】
2020095866.tif 000003
【図２】
2020095866.tif 000004
【図３】
2020095866.tif 000005
【図４】
2020095866.tif 000006
【図５】
2020095866.tif 000007
【図６】
2020095866.tif 000008
【図７】
2020095866.tif 000009
【図８】
2020095866.tif 000010
【図９】
2020095866.tif 000011
【図１０】
2020095866.tif 000012
【図１１】
2020095866.tif 000013
【図１２】
2020095866.tif 000014
【図１３】
2020095866.tif 000015
【図１４】
2020095866.tif 000016